(57)【要約】【課題】モルタル下地面に容易に取り付けることができると共に、防水シートを貫通する部分の止水性を十分に確保することができるモルタル塗厚定規治具を提供する。【解決手段】表面に防水シート１３が敷設されたモルタル下地面１４にラス網１５を介してモルタル１６を塗着する作業を行う際に、モルタル下地面１４に複数取り付けられてモルタル１６が所定の塗厚ｔで塗着されるようにガイドするモルタル塗厚定規治具１０であって、防水シート１３に密着配置される密着ベース部１８と、密着ベース部１８の一方の側に突出する固定用針部１９と、他方の側に突出する厚さガイド部２０とからなる。固定用針部１９をモルタル下地面１４に防水シート１３を貫通させて押し込んで、密着ベース部１８を防水シート１３に密着させると共に、厚さガイド部２０の先端２０ａを、所定の塗厚ｔで塗着されるモルタル１６の表面の高さ位置に配置する。【選択図】図４
2011032668.tif 000002
【特許請求の範囲】
【請求項１】
表面に防水シートが敷設されたモルタル下地面にラス網を介してモルタルを塗着する作業を行う際に、前記モルタル下地面に複数取り付けられてモルタルが所定の塗厚で塗着されるようにガイドするモルタル塗厚定規治具であって、
前記防水シートに密着配置される密着ベース部と、該密着ベース部を挟んだ一方の側に突出する固定用針部と、前記密着ベース部を挟んだ他方の側に突出する厚さガイド部とからなり、
前記固定用針部を前記モルタル下地面に前記防水シートを貫通させて押し込んで、前記密着ベース部を前記防水シートに密着させると共に、前記厚さガイド部の先端を、前記所定の塗厚で塗着されるモルタルの表面の高さ位置に配置するモルタル塗厚定規治具。
【請求項２】
前記密着ベース部の前記固定用針部側の面に、止水粘着材が塗着されている請求項１記載のモルタル塗厚定規治具。
【請求項３】
前記厚さガイド部には、モルタルを２層塗りする際の１層目の厚さに相当する高さ位置に、目印が設けられている請求項１又は２に記載のモルタル塗厚定規治具。
【請求項４】
前記防水シートが、膨潤性を有する高分子吸収樹脂層を含んで形成されている請求項１〜３のいずれかに記載のモルタル塗厚定規治具。
【発明の詳細な説明】
【技術分野】
【０００１】
本発明は、モルタル塗厚定規治具に関し、特に、表面に防水シートが敷設されたモルタル下地面にラス網を介してモルタルを塗着する作業を行う際に用いるモルタル塗厚定規治具に関する。
【背景技術】
【０００２】
建物の外壁に求められる性能として、耐火性、耐震性、耐久性、美観等が挙げられるが、これらのうち特に耐火性に優れた外壁として、モルタル外壁が注目されている。モルタル外壁は、木摺り板を間隔をおいて重ね合わせた木摺り下地や合板下地等の面材下地の表面に、防水シート等を敷設してモルタル下地面を形成すると共に、形成したモルタル下地面の表面にラス網を取り付け、このラス網に支持させるようにして、モルタル下地面を覆って例えば１６ｍｍ程度の所定の塗厚でモルタルを塗着することにより形成されることになる（例えば、特許文献１参照）。
【０００３】
一方、このようなモルタルの塗着作業は、主として左官職人によってなされており、所定の塗厚に均一に塗着されているか否かは、その技量によるところが大きく、また所定の塗厚に均一に塗着されているか否かをチェックすることも困難である。
【０００４】
このため、モルタルの塗厚を、例えば開口部におけるサッシのチリや見切り部材のチリを計測して確認する他、これらのモルタルの塗厚を計測可能な箇所から離れた部分の壁や、、窓等の開口部のない壁に関しても、モルタルの塗厚を確認しながら塗着作業を行えるようにする技術が開示されている（例えば、特許文献２参照）。
【先行技術文献】
【特許文献】
【０００５】
【特許文献１】特開２００６−７７５４９号公報
【特許文献２】特開平１０−１５２９６５号公報
【発明の概要】
【発明が解決しようとする課題】
【０００６】
特許文献２に開示された技術は、メタルラスを木造下地に取り付けるためのステープルに、脚部と反対側に伸びる塗厚ガイドを設けておき、ステープルを木造下地に打ち込んで塗厚ガイドの先端をモルタルの仕上面に配置することで、この塗厚ガイドの先端をガイドとしてモルタルを略面一に塗着させることができるようにしたものである。
【０００７】
しかしながら、特許文献２に開示された技術では、塗厚ガイドがメタルラスを取り付けるためのステープルの一部として設けられているため、ステープルが木造下地に打ち込まれた際に防水シートを貫通する部分で止水性が損われる惧れがある。このため、モルタルが塗着される壁体に高度な止水性が要求される場合には、信頼性に劣ることになる。
【０００８】
本発明は、ステープルとは別部材として用いることができ、モルタル下地面に容易に取り付けることができると共に、防水シートを貫通する部分の止水性を十分に確保することのできるモルタル塗厚定規治具を提供することを目的とする。
【課題を解決するための手段】
【０００９】
本発明は、表面に防水シートが敷設されたモルタル下地面にラス網を介してモルタルを塗着する作業を行う際に、前記モルタル下地面に複数取り付けられてモルタルが所定の塗厚で塗着されるようにガイドするモルタル塗厚定規治具であって、前記防水シートに密着配置される密着ベース部と、該密着ベース部を挟んだ一方の側に突出する固定用針部と、前記密着ベース部を挟んだ他方の側に突出する厚さガイド部とからなり、前記固定用針部を前記モルタル下地面に前記防水シートを貫通させて押し込んで、前記密着ベース部を前記防水シートに密着させると共に、前記厚さガイド部の先端を、前記所定の塗厚で塗着されるモルタルの表面の高さ位置に配置するモルタル塗厚定規治具を提供することにより、上記目的を達成したものである。
【００１０】
そして、本発明のモルタル塗厚定規治具は、前記密着ベース部の前記固定用針部側の面に、止水粘着材が塗着されていることが好ましい。
【００１１】
また、本発明のモルタル塗厚定規治具は、前記厚さガイド部には、モルタルを２層塗りする際の１層目の厚さに相当する高さ位置に、目印が設けられていることが好ましい。
【００１２】
さらに、本発明のモルタル塗厚定規治具は、前記防水シートが、膨潤性を有する高分子吸収樹脂層を含んで形成されていることが好ましい。
【発明の効果】
【００１３】
本発明のモルタル塗厚定規治具によれば、ステープルとは別部材として用いることができ、モルタル下地面に容易に取り付けることができると共に、防水シートを貫通する部分の止水性を十分に確保することができる。
【図面の簡単な説明】
【００１４】
【図１】本発明の好ましい一実施形態に係るモルタル塗厚定規治具の斜視図である。
【図２】本発明の好ましい一実施形態に係るモルタル塗厚定規治具を用いて形成されるモルタル外壁の構成を説明する要部断面図である。
【図３】本発明の好ましい一実施形態に係るモルタル塗厚定規治具の、防水シートで覆われたモルタル下地面への取り付け状況を説明する部分斜視図である。
【図４】本発明の好ましい一実施形態に係るモルタル塗厚定規治具を用いて、モルタルを所定の塗厚で塗着した状態を説明する要部断面図である。
【発明を実施するための形態】
【００１５】
図１に示す本発明の好ましい一実施形態に係るモルタル塗厚定規治具１０は、図２に示すように、例えば外壁骨組み部材１１に支持させて設置した合板下地等の面材下地１２の表面に防水シート１３を敷設して、モルタル下地面１４を形成すると共に、モルタル下地面１４の表面にラス網１５を取り付け、このラス網１５に支持させるようにしてモルタル下地面１４を覆ってモルタル１６を塗着することにより、建物の外壁部分にモルタル外壁１７を形成する際に採用されたものである。また、本実施形態のモルタル塗厚定規治具１０は、例えば１６ｍｍ程度の所定の塗厚ｔとなるようにモルタル１６の塗着作業を容易に行えるようにすると共に、モルタル１６の塗着後に、モルタル１６の塗厚ｔを精度良く確認できるようにするものである。
【００１６】
すなわち、本実施形態のモルタル塗厚定規治具１０は、図３及び図４にも示すように、表面に防水シート１３が敷設されたモルタル下地面１４にラス網１５を介してモルタル１６を塗着する作業を行う際に、モルタル下地面１４に複数取り付けられてモルタル１６が所定の塗厚ｔで塗着されるようにガイドする治具であって、防水シート１３に密着配置される密着ベース部１８と、密着ベース部１８を挟んだ一方の側に突出する固定用針部１９と、密着ベース部１８を挟んだ他方の側に突出する厚さガイド部２０とからなり、固定用針部１９をモルタル下地面１４に防水シート１３を貫通させて押し込んで、密着ベース部１８を防水シート１３に密着させると共に、厚さガイド部２０の先端２０ａを、所定の塗厚ｔで塗着されるモルタル１６の表面の高さ位置に配置するようになっている。
【００１７】
本実施形態では、表面に防水シート１３が敷設される面材下地１２として、合板下地の他、木摺り板を間隔をおいて重ね合わせた木摺り下地を用いることができる。例えば特開２０００−１６０７３２号公報に記載のパネル部材と同様の構成を備える、間隔をおいて平行に配置された複数の表側帯状小幅板と、間隔をおいて平行に配置された複数の裏側帯状小幅板とを互いに交差させた状態で接合一体化してなる壁下地パネルを用いることもできる。
【００１８】
また、面材下地１２を覆ってモルタル下地面１４を形成する防水シート１３としては、建物の外壁用の防水シートとして知られる、例えばポリオレフィン系樹脂からなる各種のシート部材を用いることができる。好ましくは、膨潤性を有する高分子吸収樹脂層を含んだ防水シート１３を用いることができる。例えば基材シートの面材下地１２側に高分子吸収樹脂層を含んだ防水シート１３を用いることにより、基材シートの破損部分を介してモルタル１６側から面材下地１２側に水が漏れても、漏れた水を高分子吸収樹脂層が吸収することで膨潤して、防水シート１３の破損部分を効果的に止水することが可能になる。すなわち、高分子吸収樹脂層が膨潤することで破損部分を閉塞して、引続いて浸入しようとする水を遮断する止水性を発揮するので、壁下地パネル１３側に浸入する水を極く僅かな量に留めることが可能になる。
【００１９】
高分子吸収樹脂層を含んだ防水シート１３としては、例えばポリオレフィン系樹脂からなる基材シートの面材下地１２側の面を、高分子吸収樹脂層によってコーティングしたものを好ましく用いることができる。高分子吸収樹脂層を構成する高吸水性樹脂（高吸水性ポリマー）としては、例えば、セルロース・アクリルニトリル重合体、デンプン・アクリルニトリル重合体等の天然系のものや、アクリル酸・ビニルアルコール共重合体、アクリル酸ソーダ重合体、アクリル酸・アクリルアミド共重合体、ポリエチレンオキサイド変成物、イソブチレン・無水マレイン酸共重合体等の合成系のものを好ましく使用することができる。
【００２０】
また、防水シート１３は、基材シートのモルタル１６側の面を不織布層によってコーティングしたものを用いることが好ましい。基材シートのモルタル１６側の面を不織布層によってコーティングすることにより、基材シート２１とモルタル１６との間に不織布層が介在することで防水シート１３とモルタル１６との密着性を高めることができるので、防水シート１３とモルタル１６との間に隙間が生じないようにしたり、隙間が生じても極僅かな隙間に留めることが可能になる。また防水シート１３とモルタル１６との間に隙間が生じて雨水等の水が滞留しても、不織布層に浸漬された状態で水が滞留するので、不織布層の毛細管張力等の作用によって、滞留した水によって大きな水圧が生じるのを効果的に緩和することが可能になる。
【００２１】
基材シートのモルタル１６側の面の不織布層を構成する不織布としては、例えばケミカルボンド、サ−マルボンド、ニ−ドルパンチ、ステッチボンド、スパンレ−ス、スパンボンド、メルトブロ−、湿式法等の公知の製造法で製造された、ポリエステル系又はポリオレフィン系不織布からなるものを好ましく用いることができる。
【００２２】
これらの防水シート１３は、例えば公知の専用の打込み装置を用いて、タッカーを面材下地１２に向けて打ち込むことにより、面材下地１２の表面に沿って敷設固定されることになる。
【００２３】
本実施形態では、モルタル下地面１４に取り付けられるラス網１５は、金属製の線材を、網目構造となるように交差する２方向に平行に多数配置することによって形成された、公知のモルタル塗着用の部材であり、例えばメタルラス、ワイヤラス等の種々のラス網を使用することができる。またラス網１５は、好ましくは力骨をステープル釘等を介してモルタル下地面１４に留め付ける方法等、公知の各種の方法によって、モルタル下地面１４に沿って容易に取り付けることができる。
【００２４】
そして、本実施形態のモルタル塗厚定規治具１０は、例えば金属製又は合成樹脂製の部材であって、上述のように、密着ベース部１８と、固定用針部１９と、厚さガイド部２０とによって構成される。密着ベース部１８は、本実施形態では、例えば直径が７〜１５ｍｍ程度の円形の平面形状を有する、厚さが０．２７〜０．６ｍｍ程度のプレート状部分である。密着ベース部１８は、その平坦な底面をモルタル下地面１４に密着させて、突出ロッド部２０をモルタル下地面１４に対して垂直に立設させると共に、モルタル下地面１４にモルタル塗厚定規治具１０を安定した状態で取り付けさせることができるようになっている。
【００２５】
固定用針部１９は、密着ベース部１８と一体成形されて、密着ベース部１８の中央部分から密着ベース部１８に対して針状に垂直に突出する部分である。固定用針部１９は、例えば直径が０．５〜３ｍｍ程度の基端部から先端側に向けて細長い先細り状に突出して、７〜１２ｍｍ程度の長さで設けられる。これによって、固定用針部１９の先端をモルタル下地面１４側に配置した状態で、固定用針部１９を、防水シート１３を貫通させつつ面材下地１２に向けて、密着ベース部１８がモルタル下地面１４に密着するまで容易に押し込んで行くことが可能になる。なお、本実施形態では、モルタル塗厚定規治具１０の固定用針部１９は、作業員の手の力でモルタル下地面１４に向けて容易に押し込んで行くことが可能であるが、公知の打込み治具や打ち込み装置を用いて押し込んで行くことにより、複数のモルタル塗厚定規治具１０を効率良くモルタル下地面１４に取り付けてゆくことが可能になる。
【００２６】
厚さガイド部２０は、密着ベース部１８と一体成形されて、固定用針部１９とは反対側に、密着ベース部１８の中央部分から密着ベース部１８に対して細長い円柱状に垂直に突出する部分である。本実施形態では、厚さガイド部２０は、例えば直径が３〜５ｍｍ程度の太径の基端側ガイド部２１と直径が２〜４ｍｍ程度の細径の先端側ガイド部２２とからなる２段構造を備えている。また、本実施形態では、厚さガイド部２０は、その先端２０ａが、密着ベース部１８の底面から、例えば１６ｍｍ程度のモルタル１６の所定の塗厚ｔに相当する高さに配置されるように設けられていると共に、基端側ガイド部２１と先端側ガイド部２２との段差部２０ｂが、密着ベース部１８の底面から、モルタル１６を２層塗りする際の１層目の厚さｔ’に相当する例えば１０ｍｍ程度の高さ位置に配置されるように設けられている。すなわち、基端側ガイド部２１と先端側ガイド部２２との段差部２０ｂは、モルタル１６を２層塗りする際の１層目の厚さｔ’に相当する高さ位置をガイドする目印となっている。
【００２７】
さらに、本実施形態では、密着ベース部１８の固定用針部側の面に、止水粘着材２３として、シリコン系や、ポリサルファイド系、アクリル系等の止水粘着材が塗着されている。密着ベース部１８の固定用針部側の面に止水粘着材２３が塗着されていることにより、固定用針部１９を、防水シート１３を貫通させつつ面材下地１２に向けて押し込んで、密着ベース部１８をモルタル下地面１４に密着させた際に、密着ベース部１８と共に、固定用針部１９が貫通することによって形成された防水シート１３の破損箇所を、さらに安定した状態で止水することが可能になる。
【００２８】
なお、本実施形態では、モルタル下地面１４の外側に敷設されるモルタル１６として、外壁用に配合された公知の各種のモルタルを用いることができ、従来と同様の方法によって、ラス網１５が取り付けられたモルタル下地面１４の外側に所定の塗厚ｔで塗着されることになる。塗着したモルタル１６が固化することにより、本実施形態の外壁防水構造１０が形成されることになる。
【００２９】
上述の構成を有する本実施形態のモルタル塗厚定規治具１０は、モルタル下地面１４にラス網１５を取り付けた後に、モルタル１６を塗着する作業に先立って、例えばモルタル１６の塗厚を計測可能なサッシや見切り部材等から離れた部分において、人力作業、或いは打込み治具や打ち込み装置を用いた作業によって、固定用針部１９をモルタル下地面１４に押し込むことにより、モルタル下地面１４に例えば９０〜２７０ｃｍ程度の間隔をおいて１〜７ｍ2に一箇所の割合で、複数容易に取り付けられることになる。
【００３０】
そして、上述の構成を有する本実施形態のモルタル塗厚定規治具１０によれば、モルタル下地面１４に容易に取り付けることができると共に、防水シート１３を貫通する部分の止水性を十分に確保することが可能になる。
【００３１】
すなわち、本実施形態によれば、モルタル塗厚定規治具１０は、防水シート１３に密着配置される密着ベース部１８と、密着ベース部１８の一方の側に突出する固定用針部１９と、他方の側に突出する厚さガイド部２０とからなり、固定用針部１９をモルタル下地面１４に防水シート１３を貫通させて押し込んで、密着ベース部１８を防水シート１３に密着させるだけで、厚さガイド部２０の先端２０ａを、所定の塗厚ｔで塗着されるモルタル１６の表面の高さ位置に配置した状態で、モルタル下地面１４に容易に取り付けることができる。このように、モルタル塗厚定規治具１０は、サッシや見切り部材等のモルタル１６の塗厚ｔを計測可能な箇所から離れた部分においても、モルタル下地面１４の任意の位置に、必要数、所望の間隔をおいて容易に取り付けることができるので、これらのモルタル塗厚定規治具１０をモルタル１６の塗厚ｔの指標として、高度な熟練を要することなく、所定の塗厚ｔが保持されるうように容易にモルタルの塗着作業を行うことが可能になる。また、例えば厚さガイド部２０の先端２０ａを塗着されたモルタル１６の表面に臨ませておくことにより、塗着後においても、モルタル１６の塗厚ｔを例えば目視によって精度良く確認することが可能になる。
【００３２】
さらに、本実施形態によれば、固定用針部１９をモルタル下地面１４に押し込んで、モルタル塗厚定規治具１０をモルタル下地面１４に取り付けた際に、密着ベース部１８がモルタル下地面１４に強固に密着するので、固定用針部１９を防水シート１３を貫通させて押し込んだ際の防水シート１３の破損箇所を密着状態で覆うことにより、防水シート１３の止水性を効果的に保持することが可能になる。また、本実施形態では、密着ベース部１８の固定用針部側の面に止水粘着材２３が塗着されているので、防水シート１３の破損箇所をさらに安定した状態で止水することが可能になる。
【００３３】
さらにまた、本実施形態によれば、モルタル下地面１４を構成する防水シート１３が、膨潤性を有する高分子吸収樹脂層を含んで形成されているので、防水シート１３の破損部分を介して万が一モルタル１６側から面材下地１２側に水が漏れても、漏れた水を高分子吸収樹脂層が吸収することで膨潤して、防水シート１３の破損部分を効果的に止水することが可能になる。すなわち、高分子吸収樹脂層が膨潤することで破損部分を閉塞して、引続いて浸入しようとする水を遮断する止水性を発揮するので、壁下地パネル１３側に浸入する水を極く僅かな量に留めることが可能になる。
【００３４】
なお、本発明は上記各実施形態に限定されることなく種々の変更が可能である。例えば、密着ベース部の固定用針部側の面に止水粘着材を塗着する必要は必ずしも無く、防水シートを膨潤性を有する高分子吸収樹脂層を含んで形成する必要は必ずしもない。また、厚さガイド部にモルタルの１層目の厚さをガイドする目印を設ける必要は必ずしもない。モルタルを２層塗りする際の１層目の厚さをガイドする目印は、基端側ガイド部と先端側ガイド部との段差部の他、その他の形状変化部や、色分け、線、マーキング等を厚さガイド部に施したものであっても良い。さらに、密着ベース部１８は、円形の平面形状の他、正方形、多角形等のその他の種々の平面形状を備えることもでき、固定用針部１９や厚さガイド部２０は、円形以外のその他に断面形状を備えていても良い。
【符号の説明】
【００３５】
１０  モルタル塗厚定規治具
１１  外壁骨組み部材
１２  面材下地
１３  防水シート
１４  モルタル下地面
１５  ラス網
１６  モルタル
１７  モルタル外壁
１８  密着ベース部
１９  固定用針部
２０  厚さガイド部
２０ａ  厚さガイド部の先端
２０ｂ  厚さガイド部の段差部（モルタルを２層塗りする際の１層目の厚さの目印）
２１  基端側ガイド部
２２  先端側ガイド部
２３  止水粘着材
ｔ    モルタルの所定の塗厚
ｔ’  モルタルの１層目の厚さ
【図１】
2011032668.tif 000003
【図２】
2011032668.tif 000004
【図３】
2011032668.tif 000005
【図４】
2011032668.tif 000006